(57)【要約】【課題】未稼働の社会的資源の提供者に対してその利用者が感謝の気持ちを簡便に表現するための装置、方法及びそのためのプログラムを提供する。【解決手段】表示画面１００には、移動可能なエレメント１１０と、イラスト１２０とが表示されている（Ｓ４０１）。これらは、同時に表示画面１００に表示可能である。イラスト１２０は、車に乗って移動したい移動希望者等の未稼働の社会的資源の利用者のエレメント１１０に対する操作のスマートフォンによる検知に応じて（Ｓ４０２）、変更される（Ｓ４０３）。より具体的には、必ずしも比例関係にあることは必要ではないが、エレメント１１０の移動量に応じて、イラスト１２０は変化する。エレメント１１０は、段階的な移動ではなく、連続的に移動可能とすることが望ましい。【選択図】図４
2018092405.tif 000002
【特許請求の範囲】
【請求項１】
感謝を表現するための方法であって、
移動可能なエレメント及びイラストを表示画面に表示するステップと、
前記感謝を表現する者の前記エレメントに対する操作を検知するステップと、
前記検知に応じて、前記イラストを変更するステップと
を含むことを特徴とする方法。
【請求項２】
前記表示画面は、携帯端末の表示画面であることを特徴とする請求項１に記載の方法。
【請求項３】
前記携帯端末は、スマートフォンであることを特徴とする請求項２に記載の方法。
【請求項４】
前記エレメント及び前記イラストは、前記表示画面に同時に表示されることを特徴とする請求項１から３のいずれかに記載の方法。
【請求項５】
前記エレメントは、実質的に連続的に移動可能であることを特徴とする請求項１〜４のいずれかに記載の方法。
【請求項６】
前記エレメントは、表示画面の横方向にスライド可能であることを特徴とする請求項５に記載の方法。
【請求項７】
前記エレメントは、表示画面の縦方向にスライド可能であることを特徴とする請求項５に記載の方法。
【請求項８】
前記エレメントは、表示画面上で回転可能であることを特徴とする請求項５に記載の方法。
【請求項９】
前記イラストは、前記エレメントの所定の移動量に対応する境界を有することを特徴とする請求項１〜８のいずれかに記載の方法。
【請求項１０】
前記移動量が前記イラストの前記境界又はその近傍における変化に対応するときに、前記イラストに対し、一時的な拡張及び縮小の少なくとも一方を与えることを特徴とする請求項９に記載の方法。
【請求項１１】
前記イラストは、前記エレメントの第１及び第２の移動量に対応する第１及び第２の境界を有することを特徴とする請求項１〜８のいずれかに記載の方法。
【請求項１２】
前記イラストは、前記エレメントの所定の移動量に対応して使用色の質的変化を伴うことを特徴とする請求項１〜８のいずれかに記載の方法。
【請求項１３】
前記表示画面に感謝を伝えるためのエレメントが表示され、
当該感謝を伝えるためのエレメントは、前記エレメントの所定の移動量に対応して使用色の質的変化を伴うことを特徴とする請求項１〜８のいずれかに記載の方法。
【請求項１４】
前記表示画面に、前記エレメントの移動量に応じた感謝料が表示されることを特徴とする請求項１〜１３のいずれかに記載の方法。
【請求項１５】
前記エレメントは、実質的に連続的に移動可能であり、
前記感謝料は、前記エレメントの移動量に応じて、実質的に連続的に変化することを特徴とする請求項１４に記載の方法。
【請求項１６】
前記感謝料は、１０円未満、５０円未満、１００円未満又は２００円未満の単位で実質的に連続的に変化することを特徴とする請求項１５に記載の方法。
【請求項１７】
コンピュータに、感謝を表現するための方法を実行させるためのプログラムであって、前記方法は、
移動可能なエレメント及びイラストを表示画面に表示するステップと、
前記感謝を表現する者の前記エレメントに対する操作を検知するステップと、
前記検知に応じて、前記イラストを変更するステップと
を含むことを特徴とするプログラム。
【請求項１８】
感謝を表現するための装置であって、
移動可能なエレメント及びイラストを前記装置の表示画面に表示し、
前記感謝を表現する者の前記エレメントに対する操作を検知し、
前記検知に応じて、前記イラストを変更することを特徴とする装置。
【請求項１９】
携帯端末において感謝を表現するための方法であって、
移動可能なエレメント及びイラストを前記携帯端末の表示画面に表示させるステップと、
前記感謝を表現する者の前記エレメントに対する操作を検知するステップと、
前記検知に応じて、前記イラストを変更させるステップと
を含むことを特徴とする方法。
【請求項２０】
携帯端末と通信可能な感謝を表現するためのサーバであって、
移動可能なエレメント及びイラストを前記携帯端末の表示画面に表示させ、
前記感謝を表現する者の前記エレメントに対する操作を検知し、
前記検知に応じて、前記イラストを変更させることを特徴とするサーバ。
【発明の詳細な説明】
【技術分野】
【０００１】
本発明は、感謝を表現するための装置、方法及びそのためのプログラムに関し、より詳細には、未稼働の社会的資源の提供者に対してその利用者が感謝の気持ちを表現するための装置、方法及びそのためのプログラムに関する。
【背景技術】
【０００２】
自家用自動車の普及率が高い我が国においては、自家用自動車での移動やドライブを楽しむ人々の数も多いが、同時に無数の「空席」が生まれている。我が国における自家用乗用車の保有台数は約６０００万台であるから（非特許文献１参照）、自家用自動車１台あたりの人口は約２人であり、自家用自動車の席数を４個と仮定して平均１台あたり２席分の空席が生じると考えることができる。これは、年間数千万の空席が生じていることとなる。このような空席という空間は、まさしく稼働していない社会的資源である。
【０００３】
この未稼働の社会的資源の有効活用は、さまざまな価値を生み出すことが期待される。空席という空間を活用することで、自己の自家用車に他者を乗せてドライブを楽しむという新しいドライブの楽しみ方が広がり、新しいコミュニティの形成につながる。また、移動コストの削減、渋滞の解消、二酸化炭素削減等の深刻な社会問題の解決に資することに加え、移動の場面における地域社会の助け合いの促進といった社会的効用も大きい。
【先行技術文献】
【非特許文献】
【０００４】
【非特許文献１】一般財団法人自動車検査登録情報協会、“自家用乗用車の世帯当たり普及台数”、[online]、平成27年8月14日、[平成28年11月23日検索]、インターネット〈URL:http://www.airia.or.jp/publish/file/r5c6pv0000003pun-att/r5c6pv0000003pv2.pdf〉
【発明の概要】
【発明が解決しようとする課題】
【０００５】
しかしながら、未稼働の空席を有効活用するためには、車を運転したい人と車に乗って移動したい人とをマッチングし、互いに良好な関係を構築することが望まれる。そのためには、マッチングの結果、車に乗って移動することができた人が、車を運転してくれた人に感謝の気持ちを表現することも求められるところ、簡便に感謝の気持ちを表現する手段が十分とは言えないのが現状である。そして、この問題は、自家用自動車における空席の有効活用に限らず、未稼働の社会的資源の提供者に対してその利用者が感謝の気持ちを表現する場面において、同様に存在し、今後その必要は一層高まっていく。
【０００６】
本発明は、このような問題点に鑑みてなされたものであり、その目的は、未稼働の社会的資源の提供者に対してその利用者が感謝の気持ちを簡便に表現するための装置、方法及びそのためのプログラムを提供することにある。
【課題を解決するための手段】
【０００７】
このような目的を達成するために、本発明の第１の態様は、感謝を表現するための方法であって、移動可能なエレメント及びイラストを表示画面に表示するステップと、前記感謝を表現する者の前記エレメントに対する操作を検知するステップと、前記検知に応じて、前記イラストを変更するステップとを含むことを特徴とする。
【０００８】
また、本発明の第２の態様は、第１の態様において、前記表示画面は、携帯端末の表示画面であることを特徴とする。
【０００９】
また、本発明の第３の態様は、第２の態様において、前記携帯端末は、スマートフォンであることを特徴とする。
【００１０】
また、本発明の第４の態様は、第１〜第３のいずれかの態様において、前記エレメント及び前記イラストは、前記表示画面に同時に表示されることを特徴とする。
【００１１】
また、本発明の第５の態様は、第１〜第４のいずれかの態様において、前記エレメントは、実質的に連続的に移動可能であることを特徴とする。
【００１２】
また、本発明の第６の態様は、第５の態様において、前記エレメントは、表示画面の横方向にスライド可能であることを特徴とする。
【００１３】
また、本発明の第７の態様は、第５の態様において、前記エレメントは、表示画面の縦方向にスライド可能であることを特徴とする。
【００１４】
また、本発明の第８の態様は、第５の態様において、前記エレメントは、表示画面上で回転可能であることを特徴とする。
【００１５】
また、本発明の第９の態様は、第１〜第８のいずれかの態様において、前記イラストは、前記エレメントの所定の移動量に対応する境界を有することを特徴とする。
【００１６】
また、本発明の第１０の態様は、第９の態様において、前記移動量が前記イラストの前記境界又はその近傍における変化に対応するときに、前記イラストに対し、一時的な拡張及び縮小の少なくとも一方を与えることを特徴とする。
【００１７】
また、本発明の第１１の態様は、第１〜第８のいずれかの態様において、前記イラストは、前記エレメントの第１及び第２の移動量に対応する第１及び第２の境界を有することを特徴とする。
【００１８】
また、本発明の第１２の態様は、第１〜第８のいずれかの態様において、前記イラストは、前記エレメントの所定の移動量に対応して使用色の質的変化を伴うことを特徴とする。
【００１９】
また、本発明の第１３の態様は、第１〜第８のいずれかの態様において、前記表示画面に感謝を伝えるためのエレメントが表示され、当該感謝を伝えるためのエレメントは、前記エレメントの所定の移動量に対応して使用色の質的変化を伴うことを特徴とする。
【００２０】
また、本発明の第１４の態様は、第１〜第１３のいずれかの態様において、前記表示画面に、前記エレメントの移動量に応じた感謝料が表示されることを特徴とする。
【００２１】
また、本発明の第１５の態様は、第１４のいずれかの態様において、前記エレメントは、実質的に連続的に移動可能であり、前記感謝料は、前記エレメントの移動量に応じて、実質的に連続的に変化することを特徴とする。
【００２２】
また、本発明の第１６の態様は、第１５の態様において、前記感謝料は、１０円未満、５０円未満、１００円未満又は２００円未満の単位で実質的に連続的に変化することを特徴とする。
【００２３】
また、本発明の第１７の態様は、コンピュータに、感謝を表現するための方法を実行させるためのプログラムであって、前記方法は、移動可能なエレメント及びイラストを表示画面に表示するステップと、前記感謝を表現する者の前記エレメントに対する操作を検知するステップと、前記検知に応じて、前記イラストを変更するステップと
を含むことを特徴とする。
【００２４】
また、本発明の第１８の態様は、感謝を表現するための装置であって、移動可能なエレメント及びイラストを前記装置の表示画面に表示し、前記感謝を表現する者の前記エレメントに対する操作を検知し、前記検知に応じて、前記イラストを変更することを特徴とする。
【００２５】
また、本発明の第１９の態様は、携帯端末において感謝を表現するための方法であって、移動可能なエレメント及びイラストを前記携帯端末の表示画面に表示させるステップと、前記感謝を表現する者の前記エレメントに対する操作を検知するステップと、前記検知に応じて、前記イラストを変更させるステップとを含むことを特徴とする。
【００２６】
また、本発明の第２０の態様は、携帯端末と通信可能な感謝を表現するためのサーバであって、移動可能なエレメント及びイラストを前記携帯端末の表示画面に表示させ、前記感謝を表現する者の前記エレメントに対する操作を検知し、前記検知に応じて、前記イラストを変更させることを特徴とする。
【発明の効果】
【００２７】
本発明の一態様によれば、表示画面に示された移動可能なエレメントに対する感謝を表現する者の操作に応じて、当該表示画面上のイラストを変化させることによって、未稼働の社会的資源の提供者に対してその利用者が感謝の気持ちを簡便に表現することができる。
【図面の簡単な説明】
【００２８】
【図１】本発明の第１の実施形態にかかる感謝を表現するための装置の表示画面の一例を示す図である。
【図２】図２（Ａ）から（Ｅ）は、本発明の第１の実施形態にかかる感謝を表現するための装置の表示画面の別の例を示す図である。
【図３】本発明の第１の実施形態にかかるスマートフォンの模式図である。
【図４】本発明の第１の実施形態にかかる感謝を表現するための方法の流れを示す図である。
【図５】図５（Ａ）から（Ｃ）は、本発明の第２の実施形態にかかる感謝を表現するための装置の表示画面の一例を示す図である。
【図６】本発明の第３の実施形態にかかる感謝を表現するための装置の表示画面の一例を示す図である。
【発明を実施するための形態】
【００２９】
以下、図面を参照して本発明の実施形態を詳細に説明する。
【００３０】
（第１の実施形態）
図１に、本発明の第１の実施形態にかかる感謝を表現するための装置の表示画面を示す。表示画面１００は、スマートフォン、タブレット等の携帯端末の表示画面、ノートＰＣ、ＰＣ等の表示画面等、さまざま考えられるが、ここでは、スマートフォンの表示画面を例に説明する。
【００３１】
表示画面１００には、移動可能なエレメント１１０と、イラスト１２０とが表示されている（Ｓ４０１）。これらは、同時に表示画面１００に表示可能である。エレメント１１０は、図１では、表示画面１００の横方向にスライド可能であるが、縦方向にスライド可能とすることもでき、また、イラスト１２０の下方ではなく、上方又は側方に配置することもできる。また、エレメント１１０は、直線的なスライドではなく、湾曲したスライドとしてもよく、また、回転によって移動可能としてもよい。あるいは、移動させることによりたとえば棒状に延長させてもよい。
【００３２】
イラスト１２０は、車に乗って移動したい移動希望者等の未稼働の社会的資源の利用者のエレメント１１０に対する操作のスマートフォンによる検知に応じて（Ｓ４０２）、変更される（Ｓ４０３）。より具体的には、必ずしも比例関係にあることは必要ではないが、エレメント１１０の移動量に応じて、イラスト１２０は変化する。図１の例では、エレメント１１０がスライド可能範囲の左端にあるときは図２（Ａ）のように示され、エレメント１１０が左端から右端に向けて移動するにつれて、図２（Ｂ）から（Ｅ）に示すようにハートが大きくなっていくようにすることができる。
【００３３】
イラスト１２０は、エレメント１１０の所定の移動量に対応する境界を有してもよく、図１では、第１、第２及び第３の移動量に対応する第１の境界１２１、第２の境界１２２及び第３の境界１２３を有するものとして描かれている。
【００３４】
エレメント１１０は、段階的な移動ではなく、連続的に移動可能とすることが望ましい。それにより、感謝を表現する者がその気持ちを任意に示すことができるからである。たとえば、感謝を示すか示さないかの二択ではなく、また、感謝の水準を三択から選択するのではなく、また、エレメント１１０を三段階に移動可能とするのではなく、より自由に感謝の気持ちを表現できるように連続的、少なくとも実質的に連続的に移動可能とすることができる。一例として、エレメント１１０をその移動可能範囲内で５段階以上、７段階以上、１０段階以上等で可変として、実質的に連続的な移動を可能とすることができる。また、４段階以上で可変とすることも一例として考えられる。
【００３５】
エレメント１１０を所定の移動量に対応する境界まで移動したときには、イラスト１２０を一時的に拡張させたり、縮小させたりすることができる。たとえば、図１のハートであれば、エレメント１１０が移動可能範囲の中央付近まできたことに対応して第１の境界１２１までハートの色がたとえば赤色に濃くなり、さらにハートが脈を打つように拡大縮小させて、感謝を表現する者に感謝の気持ちが強く表現されていることを伝えることができる。エレメント１１０の移動量がイラスト１２０の境界における変化に対応するときに加えて、あるいはそれに代替して、境界の近傍における変化に対応するときに、一時的な拡大、縮小等を加えてもよい。
【００３６】
感謝を表現する者がエレメント１１０を移動させ、十分にその気持ちがイラスト１２０に表現されていると考えれば、「伝える」ボタン１３０等の感謝の気持ちを伝えるためのエレメントをタップ又はクリックして、送信することができる。送信されるデータは、エレメント１１０の移動可能範囲全体に占める移動された割合又はそれに対応する数値のほか、あるいはそれに代替して、その移動量に応じた変化後又は変化前後のイラスト１２０を含むことができる。
【００３７】
表示画面１００は、携帯端末等の装置に設けられるものであり、図３に、装置の一例としてスマートフォンを示す。スマートフォン３００は、表示画面１００のほか、プロセッサ、ＣＰＵなどの処理部３０１と、メモリ、ハードディスク等の記憶装置又は記憶媒体を含む記憶部３０２と、通信インターフェースなどの通信部３０３とを備える。図３では、内部構造を透過により示している。上述した各処理を行うための所定のプログラムを読み出して処理部３０１において実行することによって、感謝を表現するための装置３００を構成することができる。当該プログラムは、１又は複数のプログラムを含むことがあり、また、コンピュータ読み取り可能な記憶媒体に記録して非一過性のプログラムプロダクトとすることができる。
【００３８】
なお、「××のみに基づいて」、「××のみに応じて」、「××のみの場合」というように「のみ」との記載がなければ、本明細書においては、付加的な情報も考慮し得ることが想定されていることに留意されたい。
【００３９】
また、エレメント１１０の移動量に応じてイラスト１２０をどの程度、どのように変化させるかの処理は、スマートフォン３００等の装置にインストールされたプログラムないしアプリケーションにおいて又はこれを用いて実行することができるとともに、一部又は全部を当該装置とネットワークを介して通信可能なサーバにおいて実行することも考えられる。この際には、当該サーバが１又は複数のプログラム又はプログラムプロダクトを有することとなる。
【００４０】
（第２の実施形態）
図５（Ａ）から（Ｃ）に、本発明の第２の実施形態にかかる感謝を表現するための装置の表示画面の一例を示す。
【００４１】
表示画面５００には、移動可能なエレメント５１０と、イラスト５２０とが表示されている（Ｓ４０１）。これらは、同時に表示画面５００に表示可能である。エレメント５１０は、図１と同様、表示画面５００の横方向にスライド可能であるが、縦方向にスライド可能とすることもでき、その他のスライド、移動、変形等を用いることもできる。
【００４２】
イラスト５２０は、車に乗って移動したい移動希望者等の未稼働の社会的資源の利用者のエレメント５１０に対する操作のスマートフォンによる検知に応じて（Ｓ４０２）、変更される（Ｓ４０３）。たとえば、移動量に応じて、図５（Ｂ）から始まり、図５（Ｃ）、そして図５（Ａ）と、イラスト５２０の描画区域内の密度を高めたり、描画区域内での動き、変化等を加えたりすることができる。たとえば、イラスト５２０の自動車のタイヤを回転させたり、道路を移動させたりしてもよい。
【００４３】
また、図５（Ｂ）から図５（Ｃ）で、あるいは図５（Ｃ）から図５（Ａ）で、イラスト５２０における色数を増やしたり、「ありがとう」ボタン５３０の色を変化させるといったこともできる。第１の実施形態では、イラスト１２０が境界を有したが、第３の実施形態では、使用色の質的変化によって、感謝を表現する者に感謝の気持ちが強く表現されていることを伝えることができる。
【００４４】
なお、図５では、（Ａ）から（Ｃ）の三段階までを示しているが、イラスト５２０は、さらにエレメント５１０の移動に応じて変化させることができる。
【００４５】
（第３の実施形態）
図６に、本発明の第３の実施形態にかかる感謝を表現するための装置の表示画面を示す。表示画面６００は、第１の実施形態と同様に、スマートフォン、タブレット等の携帯端末の表示画面、ノートＰＣ、ＰＣ等の表示画面等、さまざま考えられるが、ここでは、スマートフォンの表示画面を例に説明する。
【００４６】
表示画面６００には、第１の実施形態と同様に、移動可能なエレメント１１０とイラスト１２０が表示される。表示画面６００には、加えて、エレメント１１０の移動量に応じた感謝料６１０が表示される。
【００４７】
感謝料６１０は、エレメント１１０を実質的に連続的に移動可能とすることにより、その移動に応じて、実質的に連続的に変化させることができる。具体的には、１０円未満、５０円未満、１００円未満又は２００円未満の単位で実質的に連続的に変化させることができる。エレメント１１０を移動可能範囲の左端として、感謝料は０円としてもよい。
【００４８】
感謝を示す者がエレメント１１０を移動させ、十分にその気持ちがイラスト１２０に表現されていると考えれば、「決済」ボタン６２０等の決済を実行するためのエレメントをタップ又はクリックして、決済データを送信することができる。送信されるデータは、決済金額のほか、あるいはそれに代替して、エレメント１１０の移動量に応じた変化後又は変化前後のイラスト１２０を含むことができる。なお、決済金額には、たとえば、ガソリン代、道路通行料及び駐車場料金を実費相当額として加算してもよい。この場合、「決済」ボタン６２０の内部に又は近傍に感謝料６１０との合計金額を示してもよい。
【符号の説明】
【００４９】
１００  表示画面
１１０  エレメント
１２０  イラスト
１２１  第１の境界
１２２  第２の境界
１２３  第３の境界
１３０  「伝える」ボタン
３００  スマートフォン
３０１  処理部
３０２  記憶部
３０３  通信部
５００  表示画面
５１０  エレメント
５２０  イラスト
５３０  「ありがとう」ボタン
６００  表示画面
６１０  感謝料
６２０  「決済」ボタン
【図１】
2018092405.tif 000003
【図２】
2018092405.tif 000004
【図３】
2018092405.tif 000005
【図４】
2018092405.tif 000006
【図５】
2018092405.tif 000007
【図６】
2018092405.tif 000008